(57)【要約】      （修正有）【課題】活性剤が添加された注入液を注入井戸から地盤に注入する場合に、注入井戸の注入口やその周辺地盤に発生する目詰まりを抑制する注入方法を提供する。【解決手段】注入液の注入方法は、地盤１２中の汚染物質を分解する分解微生物を活性化させる活性剤を添加した注入液３０を注入井戸２０から地盤１２に注入する注入方法において、注入液３０に対する活性剤の添加を一時的に停止する。【選択図】図２
2018035613.tif 000002
【特許請求の範囲】
【請求項１】
地盤中の汚染物質を分解する分解微生物を活性化させる活性剤を添加した注入液を注入井戸から地盤に注入する注入方法において、
注入液に対する前記活性剤の添加を一時的に停止し、又は該活性剤の添加量を一時的に減少させる工程、
注入液に酸性添加剤を添加する工程、
注入液を加熱する工程、及び
注入液に殺菌剤を添加する工程、
の少なくとも一つの工程を含む、
注入液の注入方法。
【請求項２】
複数の前記工程のうち少なくとも一つの工程を、定期的に行う、
請求項１に記載の注入液の注入方法。
【請求項３】
複数の前記工程のうち少なくとも一つの工程を、前記注入井戸内の注入液の液位が所定値以上の場合に行う、
請求項１又は請求項２に記載の注入液の注入方法。
【発明の詳細な説明】
【技術分野】
【０００１】
本発明は、注入液の注入方法に関する。
【背景技術】
【０００２】
地盤から汲み上げた地下水を、注水井戸から地盤に注入する注水装置であって、注水井戸の目詰まりを防止するために、地盤に注入する地下水に酸化剤を添加し、目詰まりの原因となる地下水中の微生物を滅菌処理する注水装置が知られている（例えば、特許文献１参照）。
【０００３】
また、注水井戸の目詰まりを防止するために、注水井戸から地盤に注入する注水に、界面活性剤を添加する方法が知られている（例えば、特許文献１参照）。
【先行技術文献】
【特許文献】
【０００４】
【特許文献１】特開平９−１３１５８３号公報
【特許文献２】特開２０１５−００４２５５号公報
【発明の概要】
【発明が解決しようとする課題】
【０００５】
ところで、汚染土壌の浄化方法としては、例えば、水素徐放剤や酵母抽出物質等の活性剤（栄養剤）が添加された注入液を汚染土壌に注入し、汚染土壌中の汚染物質を分解する微生物（以下、「分解微生物」という）を増殖、活性化させて分解微生物による汚染物質の浄化を促進させるバイオ方法（バイオスティミュレーション）が知られている。
【０００６】
このようなバイオ方法では、注入液又は汚染土壌に存在する微生物（分解微生物以外の微生物）が、注入液中の活性剤を消費（分解）したときに生成される生成物等によって、注入井戸の注入口やその周辺の周辺地盤に、目詰まりの原因となるバイオフィルムが発生し易くなる。この結果、注入井戸から地盤への注入液の注入効率が低下する可能性がある。
【０００７】
本発明は、上記の事実を考慮し、活性剤が添加された注入液を注入井戸から地盤に注入する場合に、注入井戸の注入口やその周辺地盤に発生する目詰まりを抑制することを目的とする。
【課題を解決するための手段】
【０００８】
請求項１に記載の注入液の注入方法は、地盤中の汚染物質を分解する分解微生物を活性化させる活性剤を添加した注入液を注入井戸から地盤に注入する注入方法において、注入液に対する前記活性剤の添加を一時的に停止し、又は該活性剤の添加量を一時的に減少させる工程、注入液に酸性添加剤を添加する工程、注入液を加熱する工程、及び注入液に殺菌剤を添加する工程、の少なくとも一つの工程を含む。
【０００９】
請求項１に係る注入液の注入方法によれば、例えば、一の工程では、注入液に対する活性剤の添加を一時的に停止し、又は活性剤の添加量を一時的に減少させる。つまり、バイオフィルムの発生原因となる注入液中の活性剤を無くし、又は活性剤の添加量を減らす。これにより、注入井戸の注入口（スクリーン部等）やその周辺地盤に、目詰まりの原因となるバイオフィルムが発生することが抑制される。
【００１０】
また、注入液中の活性剤の減少に伴い、注入井戸の注入口やその周辺地盤に存在するバイオフィルムが、自ら分解し、若しくは微生物（分解微生物以外の微生物）によって分解される。
【００１１】
さらに、活性剤が添加されていない、又は活性剤の添加量が減少された注入液を注入井戸の注入口から地盤へ注入することにより、分解されて小さくなったバイオフィルムを洗い流すことができる。これにより、注入井戸の注入口やその周辺地盤の目詰まりが抑制される。
【００１２】
次に、他の工程では、注入液に、例えば、水酸化ナトリウム等の酸性添加剤を添加して注入液を酸性にし、又は酸性の度合いを強くする（例えば、ｐＨ８以上）。これにより、注入井戸の注入口やその周辺地盤からバイオフィルムを剥がれ易くなる。したがって、注入井戸の注入口等の目詰まりが抑制される。
【００１３】
次に、他の工程では、注入液を加熱（例えば、３５度以上）する。これにより、バイオフィルムの発生原因となる微生物の増殖が抑制される。したがって、注入井戸の注入口等の目詰まりが抑制される。
【００１４】
次に、他の工程では、注入液に、例えば、次亜塩素酸ナトリウム等の殺菌剤を添加する。これにより、注入井戸の注入口やその周辺地盤に発生したバイオフィルムが破壊（消毒）され易くなる。したがって、注入井戸の注入口等の目詰まりが抑制される。
【００１５】
請求項２に記載の注入液の注入方法は、請求項１に記載の注入液の注入方法において、複数の前記工程のうち少なくとも一つの工程を、定期的に行う。
【００１６】
請求項２に係る注入液の注入方法によれば、請求項１に記載の複数の工程のうち、少なくとも一つの工程を、定期的に行う。これにより、注入井戸の注入口等の目詰まりが抑制される。したがって、注入井戸から地盤に注入液を継続的に注入することができる。
【００１７】
請求項３に記載の注入液の注入方法は、請求項１又は請求項２に記載の注入液の注入方法において、複数の前記工程のうち少なくとも一つの工程を、前記注入井戸内の注入液の液位が所定値以上の場合に行う。
【００１８】
請求項３に係る注入液の注入方法によれば、請求項１に記載の複数の工程の少なくとも一つの工程を、注入井戸の注入液の液位（注入液の液面の高さ）が所定値以上の場合に行う。
【００１９】
ここで、注入井戸の注入口やその周辺地盤に目詰まりが発生すると、注入井戸から地盤に注入される注入液が減少し、注入井戸内の注入液の液位が上昇する。この注入液の液位に基づいて、注入井戸の注入口やその周辺地盤の目詰まりを推定することにより、注入井戸の注入口等の目詰まりを効率的に解消することができる。
【発明の効果】
【００２０】
以上説明したように、本発明に係る注入液の注入方法によれば、活性剤が添加された注入液を注入井戸から地盤に注入する場合に、注入井戸の注入口やその周辺地盤に発生する目詰まりを抑制することができる。
【図面の簡単な説明】
【００２１】
【図１】一実施形態に係る地下土壌浄化システムが適用された地盤を示す縦断面図である。
【図２】図１に示される注水井戸、及びその周辺の周辺地盤を示す拡大断面図である。
【図３】注水液に対する活性剤の添加期間と、注水井戸内の注水液の液位との関係を示すグラフである。
【図４】注水液に対する活性剤の添加期間と、注水井戸内の注水液の液位との関係を示すグラフである。
【図５】注水液に対する活性剤の添加期間と、注水井戸内の注水液の液位との関係を示すグラフである。
【図６】注水液に対する活性剤の添加期間と、注水井戸内の注水液の液位との関係を示すグラフである。
【図７】注水液に対する活性剤の添加期間と、注水井戸内の注水液の液位との関係を示すグラフである。
【発明を実施するための形態】
【００２２】
以下、図面を参照しながら、一実施形態に係る注入液の注入方法について説明する。
【００２３】
（地下土壌浄化システム）
先ず、本実施形態に係る地下土壌浄化システム１０について説明する。
【００２４】
図１には、本実施形態に係る地下土壌浄化システム１０が適用された地盤１２の一例が示されている。地盤１２は、難透水層１２Ａと、難透水層１２Ａの上に堆積された帯水層１２Ｂとを有している。なお、図１に示される符号Ｓは、帯水層１２Ｂの地下水位を示している。また、図１に示される矢印Ｖは、地下水の流れを示している。
【００２５】
帯水層１２Ｂは、難透水層１２Ａよりも通水性が高く、地下水が流動し易くなっている。この帯水層１２Ｂは、ＶＯＣ（揮発性有機化合物）等の汚染物質を含む汚染土壌１２Ｂ１を有している。
【００２６】
汚染物質としては、例えば、有機化合物（塗料、印刷インキ、接着剤、洗浄剤、ガソリン、シンナーなどに含まれるトルエン、キシレンや、テトラクロロエチレン、トリクロロエチレン、シス−１，２−ジクロロエチレン、クロロエチレン（塩化ビニルモノマー）などの揮発性有機化合物）、重金属化合物、無機化合物、油類等が挙げられる。
【００２７】
なお、本実施形態に係る地下土壌浄化システム１０は、上記の地盤１２に限らず、例えば、難透水層１２Ａが存在しない地盤１２等の種々の地盤に適用可能である。
【００２８】
地下土壌浄化システム１０は、遮水壁１４、注入槽１６、注入井戸２０、揚水井戸２２、及び水処理装置２６を備えている。この地下土壌浄化システム１０には、バイオ方法（バイオスティミュレーション）が採用されている。
【００２９】
バイオ方法は、例えば、水素徐放剤や酵母抽出物質等の活性剤（栄養剤）が添加された注入液を注入井戸２０から汚染土壌１２Ｂ１に注入し、汚染土壌１２Ｂ１中の汚染物質を分解する微生物（以下、「分解微生物」という）を増殖、活性化させて分解微生物による汚染物質の浄化を促進させる方法である。
【００３０】
また、地下土壌浄化システム１０では、汚染土壌１２Ｂ１を通過した地下水が揚水井戸２２から揚水され、水処理装置２６によって水処理される。また、水処理された地下水は、注入槽１６において前述した活性剤が添加された後、注入井戸２０から汚染土壌１２Ｂ１に再び注入される。
【００３１】
このように本実施形態に係る地下土壌浄化システム１０では、汚染土壌１２Ｂ１と水処理装置２６との間で地下水を循環させながら、汚染土壌１２Ｂ１を浄化する。以下、地下土壌浄化システム１０の各構成要素の構成について説明する。
【００３２】
（遮水壁）
遮水壁１４は、コンクリートや地盤改良等によって、帯水層１２Ｂに形成されている。また、遮水壁１４は、汚染土壌１２Ｂ１を囲むように平面視にて枠状に形成されている。この遮水壁１４は帯水層１２Ｂを貫通し、その下端部が難透水層１２Ａに根入れされている。これにより、汚染土壌１２Ｂ１で汚染された地下水等の拡散が防止されている。なお、遮水壁１４は、必要に応じて設ければ良く、適宜省略可能である。
【００３３】
（注入槽）
注入槽１６は、汚染土壌１２Ｂ１に注入する注入液が貯留される。この注入槽１６には、配管５０を介して後述する水処理装置２６が接続されており、水処理装置２６によって水処理された地下水が供給される。この地下水は、注入槽１６に注入液として貯留される。また、注入槽１６では、注入液に前述した活性剤等が適宜添加される。つまり、注入槽１６は、注入液を調整する注入液調整槽とされる。
【００３４】
注入槽１６には、配管１８を介して注入井戸２０が接続されている。この配管１８には、図示しない注入ポンプが設けられている。この注入ポンプが作動されることにより、注入槽１６に貯留された地下水が、配管１８を介して注入井戸２０に供給される。
【００３５】
（注入井戸及び揚水井戸）
注入井戸２０は、遮水壁１４による区画領域の一端側に配置されており、揚水井戸２２は、遮水壁１４による区画領域の他端側に配置されている。各注入井戸２０及び揚水井戸２２は、地盤１２を掘削することにより形成されている。また、各注入井戸２０及び揚水井戸２２は、地盤１２の帯水層１２Ｂを貫通し、難透水層１２Ａに達している。そして、注入槽１６から注入井戸２０に供給された注入液は、矢印Ｖで示されるように、汚染土壌１２Ｂ１を通過し、揚水井戸２２から揚水される。
【００３６】
なお、注入井戸２０及び揚水井戸２２の数や配置、長さは、浄化対象となる汚染土壌１２Ｂ１の範囲に応じて適宜変更可能である。そのため、例えば、注入井戸２０及び揚水井戸２２は、必ずしも難透水層１２Ａに達するまで伸ばす必要はない。
【００３７】
（水処理装置）
水処理装置２６は、例えば、揚水井戸２２から揚水された地下水をろ過するろ過装置等を含んで構成される。水処理装置２６には、配管２４を介して揚水井戸２２が接続される。配管２４には、図示しない揚水ポンプが設けられており、この揚水ポンプが作動することにより、揚水井戸２２から揚水された地下水が水処理装置２６に供給される。
【００３８】
水処理装置２６に供給された地下水は、当該水処理装置２６によって水処理され、汚濁物質等が除去される。そして、水処理装置２６によって水処理された地下水（処理水）は、配管５０を介して注入槽１６に供給される。
【００３９】
次に、本実施形態に係る注入液の注入方法の一例について説明するとともに、本実施形態に係る粒状ろ層の逆洗浄方法の効果について説明する。
【００４０】
本実施形態では、前述したように、地盤１２に注入する注入液に活性剤を添加する。このように注入液に活性剤を添加すると、図２に示されるように、注入液３０又は汚染土壌に存在する微生物（分解微生物以外の微生物）が、注入液３０中の活性剤を消費（分解）したときに生成される生成物等によって、注入井戸２０の図示しない注入口やその周辺の周辺地盤１２Ｂ２に、目詰まりの原因となるバイオフィルムが発生し易くなる。この結果、注入井戸２０から帯水層１２Ｂに注入される注入液３０の注入効率が低下する可能性がある。
【００４１】
この対策として本実施形態では、注入液３０に対する活性剤の添加を一時的に停止する。より具体的には、図３には、注入液３０に対する活性剤の添加期間Ｘ（グラフ６６）と、注入井戸２０内の注入液３０の液位３０Ｕ（グラフ６０）との関係が示されている。
【００４２】
なお、図３に示されるグラフ６０は、地盤１２の地表面１２Ｕ（図２参照）から注入井戸２０内の注入液３０の液位３０Ｕまでの距離（深さ）Ｌ（図２参照）を示している。また、グラフ６２は、注入井戸２０内の注入液３０の自然液位（自然水位）を示している。さらに、グラフ６４は、注入槽１６から注入井戸２０に供給される注入液３０の供給量を示している。この供給量は、略一定とされている。さらにまた、グラフ６６は、注入液３０に対する活性剤の添加量を示している。この添加量は、略一定とされている。
【００４３】
図３に示されるように、本実施形態では、注入液３０に対して活性剤を間欠的に添加する。これにより、地盤１２の帯水層１２Ｂには、活性剤が添加されていない注入液３０が一時的に注入される。この結果、注入井戸２０の注入口（スクリーン部等）やその周辺地盤１２Ｂ２に、目詰まりの原因となるバイオフィルムが発生することが抑制される。
【００４４】
また、注入液３０から活性剤が無くなると、注入井戸２０の注入口やその周辺地盤１２Ｂ２に存在するバイオフィルムが、自ら分解し、若しくは微生物（分解微生物以外の微生物）によって分解される。そして、分解されて小さくなったバイオフィルムは、活性剤が添加されていない注入液３０によって洗い流される。これにより、注入井戸２０の注入口やその周辺地盤１２Ｂ２の目詰まりが解消される。したがって、本実施形態では、注入井戸２０から地盤１２の帯水層１２Ｂに注入液３０を継続的に注入することができる。
【００４５】
ここで、図３のグラフ６０から分かるように、注入液３０に活性剤を添加しない添加制限期間Ｙでは、注入井戸２０内の注入液３０の液位３０Ｕが徐々に低下している。これは、注入井戸２０の注入口やその周辺地盤１２Ｂ２の目詰まりが解消され、注入井戸２０から帯水層１２Ｂに注入される注入液３０の注入効率が回復したためと考えられる。
【００４６】
なお、図３から分かるように、注入液３０に活性剤を添加している添加期間Ｘでは、注入井戸２０内に注入液３０の液位が徐々に上昇している。これは、注入液３０に対する活性剤の添加に伴って、注入井戸２０の注入口（図示省略）等に目詰まりが発生し、注入井戸２０から帯水層１２Ｂに注入される注入液３０の注入効率が低下したためと考えられる
【００４７】
ところで、注入井戸２０の注入口の目詰まりを解消する方法としては、例えば、注入井戸２０内の注入液３０をポンプ等で揚水して逆洗浄する方法が考えられる。しかしながら、この逆洗浄では、汚染土壌１２Ｂ１によって汚染された地下水（汚染水）も揚水されてしまうため、揚水した地下水の処理装置が必要となる。また、注入井戸２０内の注入液３０を揚水するポンプ自体が目詰まりし易く、ポンプの清掃等が必要となる。さらに、粘着性の高い目詰まり物質は、注入井戸２０内に取り込み難く、目詰まりを解消することができない可能性がある。
【００４８】
また、注入井戸２０の注入口の目詰まりを解消する他の方法としては、例えば、スワビングやジェッティングによる洗浄方法が考えられる。しかしながら、これらの洗浄方法は、注入井戸２０の注入口（スクリーン部）の極近傍でしか効果を得ることができず、また、洗浄装置が大がかりとなる。
【００４９】
さらに、注入井戸２０の注入口の目詰まりを解消する他の方法としては、注入井戸２０を密閉した状態で、注入液を加圧注入する方法が考えられる。しかしながら、注入液の注入に伴って注入井戸２０の注入口等の目詰まりが進行するため、当該目詰まりを解消することが困難になる。さらに、注入液の加圧注入に伴って、地盤１２が破壊され、注入液３０が地表面から逸水する可能性がある。
【００５０】
これに対して本実施形態に係る注入液の注入方法では、注入液３０に対する活性剤の添加を一時的に停止することにより、簡単な構成で、注入井戸２０の注入口等の目詰まりを効率的に抑制又は解消することができる。
【００５１】
次に、注入液３０に対する活性剤の添加方法の変形例について説明する。
【００５２】
例えば、図４に示される変形例では、時間によって注入液３０に対する活性剤の添加を制御する。具体的には、図４に示される変形例では、定期的に、注入液３０に活性剤を添加する。この変形例では、一定の添加制限期間ｔ２を置いて、一定の添加期間ｔ１に一定量Ｑの活性剤を注入液３０に添加する。このように注入液３０に対する活性剤の添加タイミングを時間で管理することにより、注入液３０に対する活性剤の添加制御が容易となる。なお、添加期間ｔ１、添加制限期間ｔ２、活性剤の添加量Ｑは、適宜変更可能である。
【００５３】
また、例えば、図５に示される変形例では、注入井戸２０の注入液３０の液位３０Ｕに基づいて、注入液３０に対する活性剤の添加を制御する。具体的には、注入井戸２０の注入口やその周辺地盤１２Ｂ２に目詰まりが発生すると、注入井戸２０から地盤１２に注入される注入液３０が減少し、注入井戸２０内の注入液３０の液位（注入液３０の液面の高さ）３０Ｕ（図２参照）が上昇する。この注入液３０の液位３０Ｕに基づいて、注入井戸２０の注入口やその周辺地盤１２Ｂ２の目詰まりを推定する。
【００５４】
そして、例えば、注入液３０の液位３０Ｕが下限値Ｌ２以下の場合に、注入液３０に対して所定量の活性剤を添加し、注入液３０の液位３０Ｕが上限値Ｌ１以上の場合に、注入液３０に対する活性剤の添加を停止する。これにより、注入井戸２０の注入口やその周辺地盤１２Ｂ２の目詰まりを効率的に解消することができる。
【００５５】
また、図６に示される変形例では、時間及び注入井戸２０の注入液３０の液位３０Ｕに基づいて、注入液３０に対する活性剤の添加を制御する。具体的には、図６に示される変形例では、活性剤の添加期間ｔ１及び添加制限期間ｔ２と別に、注入液３０の液位３０Ｕに上限値Ｌ１及び下限値Ｌ２が設定されている。
【００５６】
そして、注入液３０の液位３０Ｕが上限値Ｌ１以上になった場合には、添加期間ｔ１中であっても注入液３０に対する活性剤の添加を停止する。一方、注入液３０の液位３０Ｕが上限値Ｌ１以下になった場合、添加制限期間ｔ２中であっても、注入液３０に対する活性剤の添加を開始する。
【００５７】
また、図７に示される変形例では、図６に示される時間及び注入井戸２０の注入液３０の液位３０Ｕに基づく制御に加え、注入井戸２０の注入液３０の液位３０Ｕが下限値Ｌ１以下になった場合に、注入井戸２０の逆洗浄を行う。
【００５８】
注入井戸２０の逆洗浄では、図示しない揚水ポンプを作動し、注入井戸２０内の注入液３０、及び注入井戸２０の周辺地盤１２Ｂ２中の地下水を汲み上げる。これにより、注入井戸２０の注入口やその周辺地盤１２Ｂ２に付着したバイオフィルムが除去される。したがって、注入井戸２０の注入口等の目詰まりが解消される。なお、図７に示されるグラフ６０Ａは、逆洗浄に伴う注入井戸２０の注入液３０の液位３０Ｕの変化を示している。
【００５９】
また、活性剤の添加制限期間ｔ２には、バイオフィルムを分解する微生物や酵素を注入液３０に添加しても良い。これにより、注入井戸２０の注入口やその周辺地盤１２Ｂ２の目詰まりが早期に解消することができる。
【００６０】
また、上記実施形態では、注入液３０に対する活性剤の添加を一時的に停止したが、上記実施形態はこれに限らない。例えば、注入液３０に対する活性剤の添加量を一時的に減少させても良い。つまり、本実施形態における活性剤の添加制限期間とは、注入液３０に対する活性剤の添加を停止する場合だけでなく、注入液３０に対する活性剤の添加量を減少させる場合も含む概念である。
【００６１】
また、上記実施形態では、注入液３０に対する活性剤の添加を制御することにより、注入井戸２０の注入口等の詰まりを解消したが、上記実施形態はこれに限らない。
【００６２】
例えば、定期的に、注入液３０に水酸化ナトリウム等の酸性添加剤を添加して当該注入液３０を酸性にし、又は注入液３０の酸性の度合いを強くしても良い（例えば、ｐＨ８以上）。これにより、注入井戸２０の注入口等からバイオフィルムを剥がれ易くなる。したがって、注入井戸２０の注入口等の目詰まりを抑制又は解消することができる。
【００６３】
なお、注入液３０には、酸性添加剤ではなく、中性添加剤を添加することも可能である。この場合、注入井戸２０を構成する鋼管や、注入井戸２０内のポンプ等の金属機器の腐食を抑制しつつ、注入井戸２０の注入口等の目詰まりを抑制又は解消することができる。
【００６４】
また、例えば、地盤１２（帯水層１２ｂ）中の地下水よりも高温に注入液３０を加熱（例えば、３５度以上）する。これにより、バイオフィルムの発生原因となる微生物の増殖や繁殖が抑制される。したがって、注入井戸２０の注入口等の目詰まりを抑制又は解消することができる。また、例えば、地盤１２（帯水層１２ｂ）中の地下水よりも高温で、かつ、分解微生物が活性化し易い温度に注入液３０を加温することにより、注入井戸２０の注入口等の目詰まりを抑制又は解消することも可能である。
【００６５】
なお、注入液３０を加熱するヒータ等の加熱器は、例えば、注入槽１６に設けても良いし、注入井戸２０内に設けても良い。
【００６６】
また、例えば、定期的に、注入液３０に、次亜塩素酸ナトリウム等の殺菌剤を添加しても良い。これにより、注入井戸２０の注入口等に発生したバイオフィルムが破壊（消毒）され易くなる。したがって、注入井戸２０の注入口等の目詰まりを抑制又は解消することができる。
【００６７】
また、上記実施形態には、注入液３０に対する活性剤の添加を一時的に停止し、又は当該活性剤の添加量を一時的に減少させる工程、注入液３０に酸性添加剤を添加する工程、注入液３０を加熱する工程、注入液３０に殺菌剤を添加する工程、及び上記各種の変形例の少なくとも一つの工程を含めることができる。さらに、上記実施形態及び各種の変形例は、適宜組み合わせることが可能である。
【００６８】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６９】
１２    地盤
２０    注入井戸
３０    注入液
３０Ｕ  液位（注入液の液位）
【図１】
2018035613.tif 000003
【図２】
2018035613.tif 000004
【図３】
2018035613.tif 000005
【図４】
2018035613.tif 000006
【図５】
2018035613.tif 000007
【図６】
2018035613.tif 000008
【図７】
2018035613.tif 000009